(57)【要約】【課題】記録材収納容器の交換作業が容易な記録装置を提供する。【解決手段】記録装置１は、カバー３１が閉じられた状態のときには、ＬＥＤ１１及び受光部３３ａは、インクタンク１０がキャリッジに搭載されているか否かについての情報を取得することが可能である。また、カバー３１が開けられた状態のときには、受光部３３ａが、開口部３２から退避する方向に移動することが可能である。【選択図】図５
2015157460.tif 000002
【特許請求の範囲】
【請求項１】
記録材を内部に収容する記録材収納容器と、前記記録材収納容器に収容された記録材を用いて記録を行う記録手段と、を搭載可能であって、主走査方向に沿って走査を行うことが可能な搭載手段と、
前記記録材収納容器が前記搭載手段に搭載されているか否かについての情報を取得するための検出部と、
前記記録材収納容器及び前記記録手段が搭載された状態の前記搭載手段を内部に格納すると共に、前記記録材収納容器が前記搭載手段に搭載された状態で、前記記録材収納容器が外部に対して開放されることが可能となる開口部の形成された筐体と、
前記開口部を覆うことが可能なカバーと、を有し、
前記カバーが閉じられた状態のときに、前記検出部が、前記記録材収納容器が前記搭載手段に搭載されているか否かについての情報を取得することが可能であり、
前記カバーが開けられた状態のときに、前記検出部が、前記開口部から退避する方向に移動することが可能であることを特徴とする記録装置。
【請求項２】
前記開口部は、記録された記録媒体の排出される排紙部の上方に形成され、
前記検出部は、前記カバーに取り付けられていることを特徴とする請求項１に記載の記録装置。
【請求項３】
前記検出部は、前記カバーの内側の位置に取り付けられていることを特徴とする請求項２に記載の記録装置。
【請求項４】
前記検出部は、前記筐体に移動可能に取り付けられ、
前記カバーが閉じられた状態のときに、前記検出部が、前記記録材収納容器が配置されているか否かを検出することが可能な位置に配置され、
前記カバーが開けられると、前記カバーの移動に連動して、前記検出部が、前記開口部から退避する方向に移動することを特徴とする請求項１または２に記載の記録装置。
【請求項５】
前記検出部は、前記筐体に付勢された状態で移動可能に取り付けられ、
前記カバーにカム部材が取り付けられ、
前記カバーが閉じられた状態のときに、前記検出部が前記カム部材に当接することによって、前記カム部材が、前記記録材収納容器が配置されているか否かを検出することが可能な位置に配置され、
前記カバーが開けられた状態のときに、前記カム部材が前記検出部から離間することによって、前記検出部が、前記開口部から退避する方向に移動することを特徴とする請求項４に記載の記録装置。
【請求項６】
前記検出部は、前記筐体に付勢された状態で、回転移動することが可能に取り付けられ、
前記カバーが開けられた状態のときに、前記カム部材が前記検出部から離間し、前記検出部が回転移動することによって前記開口部から退避する方向に移動することを特徴とする請求項５に記載の記録装置。
【請求項７】
前記検出部は、磁力を発生させる磁力発生手段と、磁力を検出するための磁力検出部を備え、前記磁力検出部によって検出された磁力に基づいて、前記記録材収納容器が前記搭載手段に搭載されているか否かについての情報が取得されることを特徴とする請求項１から６のいずれか１項に記載の記録装置。
【請求項８】
前記検出部は、電波あるいは電磁波を発する発生手段と、前記発生手段によって発せられた前記電波あるいは電磁波を受け取る受取手段とを備え、前記受取手段によって受け取った前記電波あるいは電磁波に基づいて、前記記録材収納容器が前記搭載手段に搭載されているか否かについての情報が取得されることを特徴とする請求項１から６のいずれか１項に記載の記録装置。
【請求項９】
前記検出部は、発光手段と受光手段とを備えていることを特徴とする請求項１から６のいずれか１項に記載の記録装置。
【請求項１０】
前記発光手段及び前記受光手段のうちの一方が、前記記録材収納容器あるいは前記搭載手段に取り付けられ、
前記発光手段及び前記受光手段のうちの他方が、前記筐体あるいは前記カバーに取り付けられていることを特徴とする請求項９に記載の記録装置。
【請求項１１】
前記受光手段は、前記発光手段から発せられた光を内部に通す導光体と、前記導光体を通った光を受光して受光したことを検出可能な受光素子とを有し、
前記カバーが開けられた状態のときに、前記導光体が、前記開口部から退避する方向に移動することが可能であることを特徴とする請求項９または１０に記載の記録装置。
【請求項１２】
前記発光手段が発光した際に、発光したことを検出することが可能な発光検出手段と、
前記記録材収納容器が前記主走査方向に沿った所定位置にあるか否かを検出する位置検出手段とをさらに有し、
前記受光手段による受光の有無と、前記発光検出手段による検出結果と、前記位置検出手段による検出結果とに基づいて、前記カバーの開閉状態が判断されることを特徴とする請求項９から１１のいずれか１項に記載の記録装置。
【発明の詳細な説明】
【技術分野】
【０００１】
本発明は、交換可能な記録材収納容器を搭載する記録装置に関する。
【背景技術】
【０００２】
記録装置には、インクジェット方式、レーザビーム方式といった記録方式のものがある。これらの記録装置には、インクやトナーといった記録材を収容する記録材収納容器を搭載し、記録材収納容器に収容された記録材を用いて記録を行うものがある。このような記録装置では、搭載された記録材収納容器の内部に収容された記録材が消費されて使い尽くされると、そこで新たなものに交換される。
【０００３】
また、記録装置には、搭載された記録材収納容器が移動する形式のものがある。特許文献１には、キャリッジ及びインクタンクが、記録媒体の厚さ方向に沿って移動するインクジェット記録装置が開示されている。
【先行技術文献】
【特許文献】
【０００４】
【特許文献１】特許第４５８５９２７号公報
【発明の概要】
【発明が解決しようとする課題】
【０００５】
特許文献１に開示されているインクジェット記録装置は、記録媒体の厚さに応じて、キャリッジ、インクタンク及び記録ヘッドの、記録媒体からの高さを変えている。普通紙に記録を行うときには、比較的低い位置にキャリッジ、インクタンク及び記録ヘッドが配置され、光ディスクに記録を行うときには、比較的高い位置にキャリッジ、インクタンク及び記録ヘッドが配置される。
【０００６】
しかしながら、特許文献１に開示されたインクジェット記録装置は、キャリッジ、インクタンク及び記録ヘッドが、記録媒体の厚さ方向に移動するのみである。従って、インクタンク内部のインクが使い尽くされて、インクタンクが新たなものに交換される際には、インクタンクを交換するために必要なスペースが十分でなく、交換作業が煩雑となる可能性がある。
【０００７】
そこで、本発明は上記の事情に鑑み、記録材収納容器の交換作業が容易な記録装置を提供することを目的とする。
【課題を解決するための手段】
【０００８】
本発明の記録装置は、記録材を内部に収容する記録材収納容器と、前記記録材収納容器に収容された記録材を用いて記録を行う記録手段と、を搭載可能であって、主走査方向に沿って走査を行うことが可能な搭載手段と、前記記録材収納容器が前記搭載手段に搭載されているか否かについての情報を取得するための検出部と、前記記録材収納容器及び前記記録手段が搭載された状態の前記搭載手段を内部に格納すると共に、前記記録材収納容器が前記搭載手段に搭載された状態で、前記記録材収納容器が外部に対して開放されることが可能となる開口部の形成された筐体と、前記開口部を覆うことが可能なカバーと、を有し、前記カバーが閉じられた状態のときに、前記検出部が、前記記録材収納容器が前記搭載手段に搭載されているか否かについての情報を取得することが可能であり、前記カバーが開けられた状態のときに、前記検出部が、前記開口部から退避する方向に移動することが可能であることを特徴とする。
【発明の効果】
【０００９】
本発明によれば、カバーが開けられた状態となったときに、検出部が開口部から退避する方向に移動するので、記録材収納容器の交換作業を行う際に、交換作業のためのスペースを広く確保することができる。そのため、記録材収納容器の交換作業を容易に行うことができ、ユーザによる使い勝手の良い記録装置を提供することができる。
【図面の簡単な説明】
【００１０】
【図１】本発明の第１実施形態に係る記録装置の内部構成について示した斜視図である。
【図２】図１の記録装置における記録部について拡大して示した斜視図である。
【図３】図２の記録部におけるキャリッジに搭載されたインクタンクについて示した側面図である。
【図４】図１の記録装置に筐体が取り付けられた際の全体の構成について示した斜視図である。
【図５】図４の記録装置において、カバーが開けられた状態について示した斜視図である。
【図６】図４の記録装置におけるインクタンクからの発光部とカバーに取り付けられた受光部との間の位置関係について示した側面図である。
【図７】図４の記録装置におけるインクタンクの交換作業が行われる際のフローについて示したフローチャートである。
【図８】本発明の第２実施形態に係る記録装置において、カバーの開閉状態を判断する際の、それぞれの検出結果について示したテーブルである。
【図９】本発明の第２実施形態に係る記録装置におけるインクタンクの交換作業が行われる際のフローについて示したフローチャートである。
【図１０】本発明の第３実施形態に係る記録装置において、カバーが開けられた状態について示した斜視図である。
【図１１】図１０の記録装置におけるカバーが閉じられた状態において、要部について示した斜視図である。
【図１２】図１０の記録装置におけるカバーが閉じられた状態において、要部について内側から見て示した斜視図である。
【図１３】図１０の記録装置におけるカバーが開けられた状態において、要部について内側から見て示した斜視図である。
【図１４】本発明の第４実施形態に係る記録装置において、インクタンクと導光体と受光部について示した平面図である。
【図１５】本発明の第５実施形態に係る記録装置において、カバーが閉じられた状態における要部について内側から見て示した斜視図である。
【図１６】図１５の記録装置のカバーが開けられた状態における要部について内側から見て示した斜視図である。
【図１７】本発明の第６実施形態に係る記録装置において、インクタンクとホール素子について示した平面図である。
【発明を実施するための形態】
【００１１】
（第１実施形態）
以下、本発明の第１実施形態に係る記録装置について、図面を参照して説明する。なお、各図面を通して同一符号は同一、または対応部分を示すものである。
【００１２】
図１に、本発明の第１の実施形態に係る記録装置１の内部構成についての斜視図を示す。記録装置１には、記録シートを供給するための供給部２０１、供給された記録シートを搬送する搬送部２０２、及び記録シートにインク（記録材）を付与して画像を形成する記録部２０３が設けられている。さらに、記録部２０３の性能を維持するべくクリーニング等のメンテナンスを行うための回復部２０４が設けられている。
【００１３】
記録部２０３には、インクを吐出する記録ヘッド２００、インクを内部に収容するインクタンク１０及び記録ヘッド２００を搭載するキャリッジ２０が備えられている。キャリッジ２０は、記録ヘッド（記録手段）２００と、インクタンク（記録材収納容器）１０とを搭載可能であって、主走査方向に沿って走査（移動）を行うことが可能である。記録の行われる際には、キャリッジ２０に記録ヘッド２００及びインクタンク１０が搭載される。記録ヘッド２００は、インクタンク１０に収容されたインクを吐出して記録を行う。
【００１４】
供給部２０１に積載された記録シートは、１枚ずつ分離されて送り出され、搬送部２０２へ送り込まれる。キャリッジ２０は、ガイドレール２０５によって主走査方向に往復移動可能に案内支持されており、キャリッジモータの駆動力によりタイミングベルトを介して往復移動させられる。記録ヘッド２００には、それぞれ複数の吐出口が配列され、記録ヘッド２００は、吐出口からインクを吐出するインクジェットヘッド形式の記録ヘッドである。記録ヘッド２００には、発熱素子、ピエゾ素子など、エネルギをインクに付与しインクを吐出するための記録素子が吐出口ごとに設けられている。
【００１５】
搬送部２０２は、搬送ローラ５１、排出ローラ５３、及びこれらを回転駆動するための紙送りモータを有し、記録シートを主走査方向と直交する副走査方向にステップ搬送する。記録部２０３で記録されたシートは、搬送ローラ５１と連動して回転する排出ローラ５３及び拍車の間にニップされて排出トレイに排出される。
【００１６】
本実施形態の記録装置１は、いわゆるシリアルスキャン方式を採用している。記録部２０３のキャリッジ２０による往復移動（主走査）に同期して、記録ヘッド２００からインクを吐出して記録を行う。記録装置１は、記録動作と、所定ピッチごとに記録媒体をステップ搬送（副走査）する送り動作とを交互に繰り返すことにより、記録媒体全体に画像を形成する。
【００１７】
回復部２０４は、記録ヘッドにおける吐出口周辺のインクが増粘することにより発生する吐出口の目詰まり等を解消することで、吐出口からのインクの吐出を正常な状態に維持回復するためのものである。回復部２０４は、吐出口からインクを吸引または吐出させるための圧力を発生させるポンプ、吐出口を覆って乾燥を防ぐためのキャップ、吐出口面を拭き取り清掃するためのワイパなどを備えている。
【００１８】
記録装置１は、制御処理やデータ処理等を実行する不図示の制御手段を有している。本実施形態では、ＣＰＵが制御手段として機能する。
【００１９】
図２に記録部２０３の斜視図を示し、図３にインクタンク１０の側面図を示す。
【００２０】
記録ヘッド２００及びインクタンク１０は、キャリッジ２０に対し、着脱可能に保持されている。インクタンク１０は、キャリッジレバー２１を操作することでキャリッジ２０に対し着脱できるように構成されている。
【００２１】
インクタンク１０は、色ごとに、インクタンク１０Ｋ、１０ＰＫ、１０Ｃ、１０Ｍ、１０Ｙのように独立した構成となっている。図３に示されるように、インクタンク１０にはＬＥＤ１１が実装された基板１５が搭載されている。インクタンク１０には、ＬＥＤ１１が発光した際に、光を後述する受光部に向けて照射する照射部１３が形成されている。また、ＬＥＤ１１から発せられた光を照射部１３に導光するために、ＬＥＤ１１と照射部１３との間には、光路１４が形成されている。
【００２２】
ＬＥＤ１１が発する光は導光部１２内を導光され、照射部１３より図中Ａ方向へ光が照射される。このとき、光は、図３に示される光路１４を通って、ＬＥＤ１１から照射部１３に向かって進む。キャリッジ２０のタンクホルダ部２２（図６）には、各インクタンクに対応してコネクタ（不図示）が設けられており、各コネクタは、キャリッジ２０に搭載されるインクタンク１０の基板１５のパッドと接触する。各コネクタは、不図示のキャリッジ基板、フレキシブルケーブル等を介して制御基板と接続されている。これにより、各インクタンク１０のＬＥＤ１１について点灯ないし点滅の制御が可能となる。
【００２３】
図４に、カバー３１を閉じた状態における記録装置１の外観についての斜視図を示し、図５に、カバー３１を開けた状態の記録装置１の外観についての斜視図を示す。
【００２４】
記録装置１は筐体３０を有している。筐体３０は、インクタンク１０及び記録ヘッド２００が搭載された状態のキャリッジ２０を、記録装置１における主走査方向の全体に亘って、内部に格納することが可能なように構成されている。本実施形態の記録装置１は、筐体３０における上面に、読取装置２が設けられた複合機となっている。上述の記録装置１の主な内部構成は、筐体３０の中に格納されている。筐体３０には、インクタンク１０がキャリッジ２０に搭載された状態で、インクタンク１０が外部に対して開放される開口部３２が形成されている。筐体３０における読取装置２よりも前方の位置には、開閉可能なカバー３１が設けられている。カバー３１は、筐体３０に形成された開口部３２の少なくとも一部を覆うことが可能に形成されている。カバー３１は、開口部３２の全体を覆ってもよいし、開口部３２を部分的に覆ってもよい。また、本実施形態では、カバー３１は、閉じられた状態で、記録装置１の前面上方の部分を覆うように構成されている。記録装置１における記録媒体の搬送方向に沿ったインクタンク１０の下流側には、排紙部４０が形成されている。
【００２５】
図６は、記録装置１における記録部２０３及び照射部１３からの光を受光する受光部３３ａについて示した側断面図である。本実施形態では、カバー３１に、フォトセンサとしての受光部（受光素子）３３ａを含む、フォトセンサ基板ユニット３３が設けられている。すなわち、本実施形態では、受光部３３ａは、カバー３１に固定的に取り付けられている。図６に示されるように、受光部３３ａは、カバー３１の内側の位置に取り付けられている。なお、受光部３３ａの取り付けられる位置は、カバー３１の内側の位置に限定されず、カバー３１の下方の先端の位置に取り付けられてもよい。受光部３３ａは、受光光量に応じて光電流が変化するように構成されている。フォトセンサ基板ユニット３３は、主走査方向で回復部２０４から離れた位置に設けられていることが好ましい。これにより、回復部２０４の近傍で、機体内に浮遊するインクミストが受光部３３ａに付着し、受光光量に対するノイズ要因となることを抑えることができる。また、受光部３３ａは、カバー３１が閉じられているときに、インクタンク１０の照射部１３からの光を受光可能なように、光路１４の延長線上に設けられている。フォトセンサ基板ユニット３３は、不図示のケーブルを介して不図示の制御基板と接続されている。
【００２６】
発光手段としてのＬＥＤ１１から発せられた光を受光手段としての受光部３３ａが受光することにより、それぞれのインクタンク１０がキャリッジ２０に搭載されているか否かを検出することができる。インクタンク１０がキャリッジ２０に搭載されているか否かの検出が行われる際には、インクタンク１０が受光部３３ａに対向する位置に配置されるように、キャリッジ２０が所定位置に移動する。キャリッジ２０の走査によりインクタンク１０が受光部３３ａに対向する位置に配置されると、そこでＬＥＤ１１が発光する。
【００２７】
本実施形態では、キャリッジ２０にそれぞれのインクタンク１０が搭載されている場合には、それぞれのインクタンク１０に取り付けられたＬＥＤ１１から発せられた光が、受光部３３ａによって受光される。記録装置１側の制御手段が、受光部３３ａによって光が受光されたことを検出することによって、キャリッジ２０にインクタンク１０が適切に取り付けられていることを検出することができる。このように、本実施形態では、インクタンク１０のＬＥＤ１１から発せられた光を受光部３３ａが受光するか否かについての情報を取得することで、インクタンク１０がキャリッジ２０に搭載されているか否かについての情報が取得される。すなわち、本実施形態では、ＬＥＤ１１及び受光部３３ａが、記録材収納容器が前記搭載手段に搭載されているか否かについての情報を取得するための検出部として機能している。本実施形態では、ＣＰＵ等の制御部が、インクタンク１０がキャリッジ２０の搭載位置に搭載されているか否かを検出する検出部として機能する。
【００２８】
また、本実施形態では、それぞれのインクタンク１０がキャリッジ２０の搭載位置に適切に搭載されているか否かを検出されることが可能である。ＬＥＤ１１及び受光部３３ａは、それぞれのインクタンク１０が、所定の配置位置に適切に配置されている否かを検出することができる。また、インクタンク１０がキャリッジ２０に適切に搭載されているか否かの検出では、キャリッジ２０内におけるインクタンク１０の配置位置が適切かどうかだけでなく、インクタンク１０の向きや姿勢が適切か否かについても検出されてもよい。インクタンク１０の向きを誤って搭載した場合や、インクタンク１０が傾いた状態で搭載した場合には、インクタンク１０から発せられた光が受光部３３ａに到達しない可能性がある。
【００２９】
筐体３０には、カバー３１の開閉状態を監視するための不図示のセンサが設けられている。センサによる検出結果に基づいて、カバー３１が開けられている状態か、閉じられている状態か、が検出される。また、筐体３０には、前面に開口部３２が設けられている。開口部３２を介してユーザが記録装置１の内部にアクセスできるように構成されている。開口部３２は、記録された記録媒体の排出される排紙部４０の上方に形成されている。ここで、排紙部４０の上方の位置は、排紙部４０の真上の位置のみに限定されない。開口部３２は、排紙部４０の位置から、記録媒体の搬送方向にずれた位置の上方の領域も含むものとする。本実施形態では、開口部３２が、インクタンク１０の位置と、排紙部４０の形成された位置との間の位置に形成されている。
【００３０】
図５に示されるようにカバー３１が開けられ、インクタンク１０を搭載した記録部２０３が開口部３２を介して外部に開放されると、ユーザが筐体３０に設けられた開口部３２を通じてインクタンク１０にアクセスできるようになる。開口部３２は、インクタンク１０の交換や、記録装置１の内部で発生した記録媒体のジャム処理を行うためのスペースへの入口として形成されている。
【００３１】
開口部３２における主走査方向に沿う長さは、対応する記録シートの最大幅とほぼ同等の長さとなっている。ここで記録装置１は、装置幅が小さくなるように構成されているため、記録部２０３が主走査方向で最左端（回復部２０４と反対側の端部）に位置するときには、インクタンク１０Ｙは開口部３２を通して外部に露出される構成となっている。
【００３２】
読取装置２は筐体３０に固定されている。本実施形態では、フォトセンサ基板ユニット３３は、カバー３１に固定されている。そのため、カバー３１が開放されるときは、カバー３１が移動すると共にフォトセンサ基板ユニット３３も移動し、インクタンク１０の照射部１３の対向部から退避する。このため、インクタンク１０の記録装置前面側の開口部３２において、インクタンク着脱のための開口領域を広く確保することができる。このように、記録装置１は、カバー３１が開けられた状態のときに、インクタンク１０がキャリッジ２０に搭載されているか否かについての情報を取得するための検出部が、開口部３２から退避する方向に移動することが可能である。本実施形態では、受光部３３ａが、開口部３２から退避する方向に移動する。
【００３３】
次に、図７を用いて、インクタンク１０の交換に関する動作について説明する。ユーザがインクタンク１０を交換するためカバー３１を開くと、カバー検出手段によりカバー３１が開いたことを検出する(ｓｔｅｐ１)。なお、インクタンク１０が交換可能となるのは、記録装置１が待機状態である場合に限られる。記録装置１が待機状態以外の記録動作等を実行している状態では、カバーオープンを検出しても、インクタンク交換シーケンスは発動しない。制御手段は待機状態か否かを判断（ｓｔｅｐ２）し、待機状態であれば、インクタンク１０を搭載した記録部２０３がインクタンク交換位置へ移動する（ｓｔｅｐ３）。ユーザがインクタンク１０Ｋ、１０ＰＫ、１０Ｃ、１０Ｍ、１０Ｙのうち所望のインクタンク１０を交換（ｓｔｅｐ４）後、カバー３１が閉じられると、カバー検出手段はこれを検出する（ｓｔｅｐ５）。カバー３１が閉じられたことが確認されると、交換されたインクタンク１０が正しい位置に装着されたかどうかを確認するために、インクタンク装着位置検出動作が行われる。それぞれのインクタンク１０で発光させた際の光を受光部３３ａで受光させるために、記録部２０３を移動させながら、インクタンク１０Ｋ、１０ＰＫ、１０Ｃ、１０Ｍ、１０Ｙの各ＬＥＤ１１を順次発光させる。このときの記録部２０３の位置情報と各インクタンク１０の発光情報から、各インクタンクが正しい位置に正しい姿勢で搭載されているか否かが検出される(ｓｔｅｐ６)。制御手段は、各インクタンク１０が適切に搭載されているか否かを判断する（ｓｔｅｐ７）。このように、記録装置１は、カバー３１が閉じられた状態のときに、インクタンク１０がキャリッジ２０に搭載されているか否かを検出することが可能である。それぞれのインクタンク１０が搭載されていると検出されれば、記録部２０３は記録待機位置に移動する（ｓｔｅｐ８）。いずれかのインクタンク１０が適切に搭載されていない場合には、表示部にインクタンク１０の誤装着を表示しユーザに告知する（ｓｔｅｐ９）。
【００３４】
上記の実施形態のように、カバー３１が開けられた際には、カバー３１の移動に伴い、受光部３３ａも移動する。
【００３５】
このように、カバー３１と共に受光部３３ａが開口部３２から退避する方向に移動するので、開口部３２の面積が広がる。そのため、ユーザがインクタンク１０に対し、容易にアクセスできるようになる。また、ユーザがインクタンクに関する作業を行う際に、作業を容易に行うことができる。例えば、インクタンク１０の交換作業を行う際に、容易に交換作業を行うことができる。また、筐体３０内部の記録媒体の搬送経路で記録媒体のジャムが生じたときに、ジャムの生じた記録媒体を除去する作業を容易に行うことができる。
【００３６】
なお、本実施形態では、受光部３３ａがカバー３１の移動と共に、カバー３１と同じ方向に移動する構成について説明したが、本発明はこれに限定されない。受光部３３ａは、カバー３１の方向とは別の方向に移動してもよい。受光部３３ａが、開口部３２から退避する方向に移動すればよい。ここで、開口部３２から退避する方向の移動は、移動した結果、開口部３２の面積が広がるような移動のことをいうものとする。従って、開口部３２から退避する方向の移動は、主走査方向への移動も含まれる。移動することによって、開口部３２から主走査方向に外れるような移動も含まれるものとする。すなわち、移動方向は、筐体３０に形成された開口部３２と同じ面方向に沿った移動でもよいし、カバー３１の移動方向のように、開口部３２と同じ面方向に対して交差する方向への移動であってもよい。また、回転移動した結果、開口部３２の面積が広がるような移動のことも含むものとする。
【００３７】
また、上記の記録装置１の説明では、インクタンク１０に発光部であるＬＥＤ１１を設け、カバー３１に受光部３３ａを含むフォトセンサ基板ユニット３３をカバー３１に固定したものであるが、発光部と受光部の構成については、上記の実施形態に限定されない。受光部と発光部とは、位置関係がお互いに入れ替わっても良い。すなわち、インクタンク１０側に受光部を設け、カバー３１側に発光部を設けても同様の効果を得ることができる。また、本実施形態では、受光部３３ａは、カバー３１に取り付けられているが、本発明はこれに限定されない。カバー３１が開けられたときに受光部３３ａが開口部３２から退避する方向に移動するのであれば、受光部３３ａは、カバー３１に取り付けられるのではなく、筐体３０に取り付けられてもよい。このように、ＬＥＤ１１及び受光部３３ａのうちの一方が、インクタンク１０あるいはキャリッジ２０に取り付けられ、ＬＥＤ１１及び受光部３３ａのうちの他方が、筐体３０あるいはカバー３１に取り付けられていればよい。
【００３８】
また、発光手段であるＬＥＤ１１はインクタンク１０に設けられなくてもよく、インクタンク１０を搭載するキャリッジ２０側に設けられてもよい。この場合、インクタンク１０には、導光部のみが設けられる構成であっても構わない。このとき、インクタンク１０の導光部の入射部（不図示）とキャリッジ２０に設けられたＬＥＤ（不図示）との間の位置関係を、インクタンク１０Ｋ、１０ＰＫ、１０Ｃ、１０Ｍ、１０Ｙで異ならせることで、インクタンク１０の装着位置を検出することができる。また、インクタンク１０の色ごとに、ＬＥＤ１１から異なった光を発光することとしてもよい。光の種類を検出することにより、それぞれのインクタンク１０がどの色のインクタンク１０かを検出することができ、インクタンク１０の種類ごとに正確な位置に適切に配置されているかどうかを検出することができる。この場合、記録装置１は、それぞれの配置位置ごとに、キャリッジ２０に搭載されたインクタンク１０の種類が正しいか否かの検出を行うことが可能である。
【００３９】
また、発光手段から発せられる光は、可視光線のみに限定されない。発光手段から発せられる光は、紫外線、赤外線といった視認できないような不可視光線であってもよい。受光手段は、発光手段から発せられた紫外線、赤外線といった不可視光線を受けとったときに、これを検出することができる構成であってもよい。
【００４０】
以上説明したように、本実施形態によれば、インクタンク等の消耗品交換や記録シートのジャム処理にかかる操作性を損なうことなく、記録装置の小型化を可能とする記録装置を提供することができる。また、記録措置の大きさを大きくすることなくインクタンクの交換動作や記録媒体のジャム処理を行うための開口部３２の面積を広げることができるので、記録装置の小型化に寄与することができる。
【００４１】
（第２実施形態）
次に、本発明の第２実施形態に係る記録装置について説明する。なお、上記第１実施形態と同様に構成される部分については図中同一符号を付して説明を省略し、異なる部分についてのみ説明する。
【００４２】
第１実施形態では、記録装置に、カバー３１の開閉状態を監視するカバー検出手段としてのセンサが設けられている。これによって、図７のフローチャートにおけるｓｔｅｐ５で、カバーの開閉状態が検出されている。これに対し、第２実施形態では、カバー３１の開閉状態を監視するためのカバー検出手段は設けられていない。第２実施形態では、フォトセンサ基板ユニット３３における受光部３３ａでの出力結果や、他の出力結果に基づいて、カバー３１の開閉状態が判断される。具体的には、本実施形態では、受光部３３ａによる検出結果、インクタンク１０からの発光の有無、インクタンクが所定の検出位置にあるか否かに基づいて、カバー３１の開閉状態が検出される。
【００４３】
図８には、本実施形態のカバー開閉の判断に関するそれぞれの出力結果についてのテーブルが示されている。本実施形態では、カバー３１の開閉状態は、受光部３３ａの受光検出有無、インクタンク１０のＬＥＤ１１の発光有無、また、インクタンク１０の主走査方向における所定位置にキャリッジが有るか否か、のそれぞれの出力結果によって判断される。
【００４４】
受光部３３ａでインクタンクから発光された光を受光することにより、受光部３３ａが所定の光量の光を受光していると検出されたときに、受光検出が有と判断される。
【００４５】
また、インクタンク１０のＬＥＤ１１の発光の有無を検出することによって、キャリッジにインクタンク１０が搭載されているか否が判断される。ＬＥＤ１１の発光の有無についての情報は、ＬＥＤ１１の制御情報から得られる。このように、インクタンク１０におけるＬＥＤ１１の発光の有無を検出することによって、ＬＥＤ１１で発光させた際のキャリッジ２０へのインクタンク１０の着脱の状態を検出することができる。キャリッジ２０にインクタンク１０が搭載され、記録装置における制御部がインクタンク１０に取り付けられたＬＥＤ１１を発光させ、ＬＥＤ１１での発光が検出された場合に、ＬＥＤ１１の発光が有りと検出される。
【００４６】
また、インクタンク１０が、受光部３３ａと対向する所定のインクタンク検出位置に有るか否かが判断される。このインクタンク１０が所定のインクタンク検出位置にあるか否かの判断は、インクタンクの位置を検出し、その位置が所定のインクタンク検出位置であるかどうかで判断する。検出されたインクタンクの位置が所定のインクタンク検出位置と一致すれば、インクタンクが所定のインクタンク検出位置に有ると判断される。検出されたインクタンクの位置が所定のインクタンク検出位置と異なれば、インクタンクは所定のインクタンク検出位置にはないと判断される。本実施形態では、キャリッジの主走査方向への位置情報は、記録データ等に基づいて、記録部２０３の位置情報から算出される。
【００４７】
受光部３３ａが受光し、受光有と検出されると、インクタンク１０のＬＥＤ１１における発光情報とインクタンク１０の位置情報とが確認される。インクタンクがキャリッジに搭載され、ＬＥＤ１１による発光が検出されると共に、所定のインクタンク検出位置にキャリッジが有ると検出された場合には、カバーが閉じた状態であるカバークローズと判定される（条件１）。
【００４８】
受光部３３ａが受光し、受光有と検出されたときに、インクタンク１０のＬＥＤ１１からの発光が検出され、所定のインクタンク検出位置にキャリッジがない場合には、受光部３３ａが外光を検出していると判断される。このとき、カバーが開けられた状態であるカバーオープンと判断される（条件２）。
【００４９】
受光部３３ａが受光有を検出しているが、インクタンク１０における発光が検出されず、発光が否と検出された場合には、受光部３３ａが外光を検出していると判断し、インクタンク検出位置情報によらずカバーオープン判定となる（条件３）。
【００５０】
受光部３３ａが受光無となっているが、インクタンク１０のＬＥＤ１１からの発光が検出され、且つ、受光部３３ａと対向するインクタンク検出位置にキャリッジが有ると検出されている場合には、カバーオープン状態であると判断される（条件４）。これは、受光部３３ａが外光を受光できるほどカバー３１が開放されず、また、カバー３１がわずかに開いていることで、受光部３３ａがインクタンク１０の光路１４から外れてしまうことで、受光部３３ａで受光無と検出されるためである。
【００５１】
また、受光部３３ａが受光無であり、インクタンク１０におけるＬＥＤ１１からの発光があるか否か、及び、受光部３３ａと対向する検出位置にキャリッジがあるかどうか、のいずれかが否である場合には、カバークローズと判断される（条件５、６）。
【００５２】
受光部３３ａでの受光が有り、インクタンク１０からの発光が検出され、且つ、所定の検出位置にキャリッジが有ると検出され、（条件１）に該当する（カバークローズ）場合にカバー３１が開けられる際には、（条件４）を経由してカバーオープンの状態となる。これは、カバー３１が開けられて受光部３３ａが移動する過程で、どこかで受光部３３ａによってインクタンク１０からの光を受光できなり、受光が無しと検出されるからである。
【００５３】
ここで、（条件４）の状態となったにもかかわらず、キャリッジ２０の位置及びインクタンク１０による発光がそのままの状態で、受光部３３ａが外光を検出してしまった場合には、記録装置は、（条件１）に該当してしまう。そのため、カバー３１が開けられているにもかかわらず、受光部３３ａが外光を検出することによりカバークローズと判断されて、開閉状態を誤検出してしまう場合がある。これを回避するため、一旦受光部３３ａでの受光が無くカバーオープン判定となった場合には、キャリッジ２０にインクタンク１０が搭載されているときに、インクタンク１０におけるＬＥＤ１１を消灯または点滅させることにしてもよい。このようにして、キャリッジ２０にインクタンク１０が搭載されていても、ＬＥＤ１１による発光を検出できないような状態にしてもよい。こうすることで、一旦カバーオープン判定となり、キャリッジ２０にインクタンク１０が搭載されているかどうかの検出が行われた際に、受光部３３ａでの受光の有無によってカバー３１の開閉状態を判断することができる。本実施形態では、受光部３３ａの受光検出の有無によって、（条件３）または（条件６）のどちらに該当するかでカバー３１の開閉状態を判定することができる。受光部３３ａで受光が検出された場合には、外部の光を検出したと判断して、（条件３）となり、カバーオープンの状態であると判断される。また、受光部３３ａで受光が検出されない場合には、外部の光が検出されずに（条件６）となり、カバー３１が閉じられたカバークローズの状態であると判断される。従って、受光部３３ａでの受光の有無によって、カバー３１の開閉状態の判断をより正確に行うことができる。このように、場合によっては、インクタンク１０におけるＬＥＤ１１からの発光を止め、カバー３１の開閉状態を検出し易い状態に置いてもよい。
【００５４】
カバー３１の開閉状態の検出について、開閉検出を開始してから検出されるまでの時間を短縮させるために、記録動作中はインクタンク１０Ｋ、１０ＰＫ、１０Ｃ、１０Ｍ、１０Ｙのうち少なくとも一つのインクタンクのＬＥＤ１１を発光させておいてもよい。また、記録動作中は、受光部３３ａと対向する検出位置にキャリッジがあるかどうかを検出する位置検出動作は実施されない。そのため、記録動作の行われている間は、インクタンク１０のＬＥＤ１１は、消灯されていても構わない。
【００５５】
キャリッジ２０にインクタンク１０が搭載されているときに常時ＬＥＤ１１を発光させておく場合には、記録動作中に高い頻度でインクタンク１０の照射部１３が受光部３３ａに対向した位置を通過する。この通過時に受光部３３ａが受光有と検出できない場合には、（条件４）に該当するため、カバーオープンの状態を検出できる。
【００５６】
次に、図９を参照して、本実施形態におけるインクタンク交換にかかるインクタンク位置検出動作について説明する。ここで、インクタンク１０が交換可能となるのは、記録装置１が待機状態である場合に限られる。
【００５７】
記録装置１が待機状態以外の状態であり、記録動作等を実行している状態においては、カバーが開けられている開状態であることを検出しても、インクタンク交換シーケンスは発動しない。
【００５８】
記録装置１が待機状態にあるときには、本実施形態では、インクタンク１０のＬＥＤ１１が消灯されている。そのため、インクタンク１０のＬＥＤ１１からの発光の有無についての検出が行われたときに、発光が有と検出されない。また、このとき、インクタンク１０は、受光部３３ａと対向する検出位置とは異なる待機位置にある。そのため、ＬＥＤ１１からの発光の有無及びキャリッジが待機位置にあるか否かの、それぞれの検出結果は、（条件６）に該当する。
【００５９】
この状態でユーザがインクタンク１０を交換するためにカバー３１を開くと、（条件３）に該当し、カバー３１が開いたことが検出される(ｓｔｅｐ１０１)。ここで、制御手段は、記録装置１が待機状態か否かを判断（ｓｔｅｐ１０２）し、待機状態であれば、インクタンク１０を搭載した記録部２０３がインクタンク交換位置へ移動する（ｓｔｅｐ１０３)。このとき、インクタンク１０の残量情報からユーザに対してどのインクタンク１０を交換する必要があるかを、ＬＥＤ１１の点滅や点灯によって明示する（ｓｔｅｐ１０４）ことができる。
【００６０】
本実施形態では、ＬＥＤ１１の発光開始は、インクタンク１０が交換するための所定の検出位置へ移動を行った後に行うものとする。これは、インクタンク１０の交換作業の前の段階で、カバー３１が開けられているにも関わらず、外光とインクタンク１０からの発光とが検出されることで（条件１）に該当することによりカバークローズの状態であると判断されることを避けるためである。キャリッジ２０がインクタンク交換位置へ移動し、ＬＥＤ１１を発光させ、カバー３１が開けられると、記録装置１の状態は（条件２）へと遷移する。
【００６１】
そこで、インクタンク１０Ｋ、１０ＰＫ、１０Ｃ、１０Ｍ、１０Ｙのうち所望のインクタンク１０についての交換が行われる（ｓｔｅｐ１０５）。
【００６２】
ユーザがインクタンク１０Ｋ、１０ＰＫ、１０Ｃ、１０Ｍ、１０Ｙのうち所望のインクタンク１０を交換した後、カバー３１を閉じると、（条件５）に該当し、カバークローズの状態が記録装置１によって検出される（ｓｔｅｐ１０６）。このとき、仮にＬＥＤ１１が発光されていない（点滅時の一時的な消灯も含む）場合であっても、その場合、（条件６）に該当するので、記録装置１は、カバークローズの状態を検出する。記録装置１によってカバークローズが検出されると、インクタンク１０におけるＬＥＤ１１が消灯される（ｓｔｅｐ１０７）。
【００６３】
この後、交換されたインクタンク１０が、キャリッジ上の正しい位置に装着されたかどうかを確認するため、記録装置１は、インクタンク装着位置検出動作へ移行する。インクタンク装着位置検出動作では、キャリッジを走査させることによって記録部２０３を移動させながら、インクタンク１０Ｋ、１０ＰＫ、１０Ｃ、１０Ｍ、１０Ｙの各ＬＥＤ１１を順次発光させる。記録部２０３の位置情報と各インクタンク１０の発光情報に基づいて、各インクタンクがキャリッジ上の正しい位置に適切に搭載されているかどうかが検出される（ｓｔｅｐ１０８）。
【００６４】
このとき、インクタンク１０が検出位置にある状態で一時的にＬＥＤ１１を消灯させることにより、インクタンク装着位置検出動作中にカバーが開けられたかどうかを検出することができる。インクタンク装着位置検出動作中にカバーが開けられた場合には、記録装置１は、（条件３）に該当し、カバーが開けられていない場合には、記録装置１は（条件６）に該当する。制御手段は、各インクタンク１０の装着位置が正しく、それぞれのインクタンクが適切に搭載されているか否かを判断する（ｓｔｅｐ１０９）。それぞれのインクタンクが適切に搭載されていれば、記録部２０３は記録待機位置に移動し（ｓｔｅｐ１１０）、間違った位置に装着されている場合は、表示部にインクタンク１０の誤装着を表示しユーザに告知する（ｓｔｅｐ１１１）。
【００６５】
このように、記録装置１は、ＬＥＤ１１が発光した際に、発光したことを検出することが可能な発光検出手段を有している。本実施形態では、記録装置１における制御部が、ＬＥＤ１１からの発光があったときに、ＬＥＤ１１が発光したことを検出する。また、記録装置１は、インクタンク１０が主走査方向に沿った所定位置にあるか否かを検出する。本実施形態では、記録装置１における制御部が、インクタンク１０が主走査方向に沿った所定位置にあるか否かを検出する位置検出手段として機能する。さらに、本実施形態では、受光部３３ａによる受光の有無が検出されている。本実施形態では、受光部３３ａによる受光の有無と、ＬＥＤ１１からの発光があるか否かの検出結果と、インクタンク１０が主走査方向に沿った所定位置にあるか否かの検出結果とに基づいて、カバー３１の開閉状態が判断されている。
【００６６】
以上説明したように、本実施形態によれば、それぞれの検出結果に基づいて、カバー３１の開閉状態が判断されるので、第１実施形態で用いられたようなカバーの開閉状態を監視するためのセンサの構成を省くことができる。これにより、記録装置の製造コストを抑えることができる。
【００６７】
（第３実施形態）
次に、本発明の第３実施形態について説明する。なお、上記第１実施形態及び第２実施形態と同様に構成される部分については図中同一符号を付して説明を省略し、異なる部分についてのみ説明する。
【００６８】
図１０は、第３実施形態の記録装置１における斜視図を示している。図１１は、カバー３１が閉じられている状態での、記録装置におけるフォトセンサ基板ユニット３３及びインクタンク１０の周辺について示した斜視図である。図１２は、カバー３１が閉じられた状態におけるフォトセンサ基板ユニット３３の周辺について、筐体３０の内側から見て示した斜視図である。また、図１３は、カバーが開けられた状態におけるフォトセンサ基板ユニット３３の周辺について、筐体３０の内側から見て示した斜視図である。
【００６９】
第１実施形態では、受光部３３ａがカバー３１に取り付けられ、カバー３１が開けられる際に、同時に受光部３３ａが開口部から退避する方向に移動するように記録装置が構成されている。これに対し、第３実施形態では、カバー３１にカムが取り付けられると共に、受光部３３ａが開口部から退避する方向に付勢されて取り付けられている。カバーが閉じられている状態では、カムによって押されることで受光部３３ａがインクタンク１０の発光部に対応する位置に位置する。カバーが開けられた際には、カムが受光部３３ａから離れることで、受光部３３ａが開口部から退避する方向に移動するように、記録装置が構成されている。
【００７０】
図１０に示されるように、カバー３１には、カム部（カム部材）３１ａが設けられている。また、受光部３３ａを含むフォトセンサ基板ユニット３３は、筐体３０に付勢された状態で移動可能に取り付けられている。本実施形態では、受光部３３ａを含むフォトセンサ基板ユニット３３は、図１２、１３に示されるＸ１方向に付勢された状態で筐体３０に対して回転移動することが可能に取り付けられている。フォトセンサ基板ユニット３３は、センサホルダ３４に固定的に取り付けられている。そのため、受光部３３ａが、センサホルダ３４に固定的に取り付けられている。センサホルダ３４は、筐体３０に、軸３４ｂを中心に回動可能に取り付けられている（図１２及び図１３）。
【００７１】
カバー３１が開放されているときには、図１０に示されるように、カム部３１ａは筐体３０から離間した部分に位置している。このようにカム部３１ａが移動することにより、カム部３１ａが筐体３０の外部に露出される。
【００７２】
図１１は、カバー３１が閉じられているときのインクタンク１０とセンサホルダ３４との間の位置関係を示したものである。説明上、カバー３１の一部を省略して示している。カバー３１が閉じられた状態では、フォトセンサ基板ユニット３３の受光部（フォトセンサ）３３ａが、インクタンク１０の照射部１３からの光を受光可能なように、受光部３３ａがインクタンク１０の照射部１３に対応した位置に配置される。すなわち、インクタンク１０における照射部１３によって発光された際の光路１４上に受光部３３ａが位置するように、受光部３３ａが配置される。
【００７３】
図１２には、カバー３１が閉じられている状態におけるセンサホルダ３４及びカバー３１のカム部３１ａの周辺についての斜視図が示されている。カバー３１が、開けられた状態から閉じられた状態に移動するときには、カバー３１に取り付けられたカム部３１ａもカバー３１と同様に移動する。カム部３１ａが移動した結果、カム部３１ａが筐体３０の内部に入り込み、筐体３０に設けられた切り欠き部３０ｂの内部へ移動する。カバー３１の移動と共にカム部３１ａが移動し、切り欠き部３０ｂの内部に入り込むと、カム部３１ａがセンサホルダ３４に当接する。その結果、センサホルダ３４の一端がカム部３１ａに押されることによって、センサホルダ３４が軸３４ｂを中心に図１２、１３に示されるＸ２方向に回転移動する。センサホルダ３４が回転移動すると、受光部３３ａがインクタンク１０における照射部１３に対向する位置に配置される。カバー３１が閉じられた状態のときに、受光部３３ａの形成されたセンサホルダ３４がカム部３１ａに当接することによって、受光部３３ａが、インクタンク１０が配置されているか否かを検出することが可能な位置に配置される。また、カバー３１が閉じられた状態で保持されている間は、センサホルダ３４がカム部３１ａによって押されたままである。そのため、カバー３１が閉じられている間は、受光部３３ａは、インクタンク１０の照射部１３に対応する位置に位置し続ける。
【００７４】
カバー３１が開放されると、図１３に示されるように、カバー３１に取り付けられたカム部３１ａが、筐体３０内から離間する方向へ移動し、切り欠き部３０ｂから外れる。カム部３１ａが切り欠き部３０ｂから離間すると、センサホルダ３４を押さえるものがないので、筐体３０に付勢されながら取り付けられているセンサホルダ３４が、軸３４ｂを中心に図１２、１３に示されるＸ１方向に回転移動する。センサホルダ３４が付勢力によってＸ１方向に回転移動すると、センサホルダ３４における受光部３３ａの周辺部分が、筐体３０の開口部３２から退避する方向に移動する。
【００７５】
このように、カバー３１が開けられた状態のときには、カム部３１ａがセンサホルダ３４から離間することによって、センサホルダ３４が、開口部３２から退避する方向に移動する。従って、受光部３３ａが、開口部３２から退避する方向に移動する。このため、センサホルダ３４が開口部３２における中央部に近い領域から離間する方向に移動し、開口部３２の面積が増加する。これにより、ユーザがインクタンク１０へ容易にアクセスすることができる。このように、インクタンク１０の記録装置の前面側に、インクタンク１０の着脱のための開口領域を十分に確保することができる。
【００７６】
上記実施形態では、インクタンク１０に設けられたＬＥＤ１１からの光を受光する位置に配置された受光部３３ａが開口部３２から退避する方向へ移動する構成について説明したが、本発明はこれに限定されない。インクタンク１０に受光部３３ａが取り付けられ、ＬＥＤ１１が筐体３０における受光部３３ａに対応する位置に配置されると共に、カバー３１が開けられた際には、ＬＥＤ１１が開口部３２から退避する構成を有していてもよい。つまり、受光部と発光部との位置が、本実施形態の構成とは逆の関係にあってもよい。
【００７７】
また、ＬＥＤ１１はインクタンク１０に設けられなくてもよい。ＬＥＤ１１がインクタンク１０の搭載されるキャリッジ２０に設けられ、インクタンク１０には光を照射部１３に導く導光部のみが設けられても構わない。また、ＬＥＤ１１が筐体３０側に設けられている場合には、受光部３３ａがインクタンク１０ではなくキャリッジ２０に設けられてもよい。また、導光部は必ずしも設けられなくてもよく、ＬＥＤ１１からの光を直接的に受光部３３ａが受光する構成であってもよい。
【００７８】
また、カバー３１が開放されている状態でのセンサホルダ３４の退避位置において、受光部３３ａの対向する位置に本体ＬＥＤ光源が設けられていてもよい。第２実施形態では、受光部３３ａに外光を検出させることでカバー３１の開閉状態と判定させているが本発明はこれに限定されない。カバー３１を開けた状態の受光部３３ａに対応する位置にＬＥＤを配置し、ＬＥＤからの光を受光部３３ａで受光したときに、カバーが開けられた状態であることを検出する構成であってもよい。この場合、各インクタンク１０のＬＥＤ１１の光量と、カバー３１が開けられたときに受光部３３ａに対応する位置に配置されたＬＥＤ光源の光量との間に差を設けておくことで、より正確なカバー開閉状態の監視を行うことが可能である。また、このカバー３１が開けられたときに受光部３３ａに対応する位置に配置されたＬＥＤ光源は専用で設けられなくてもよく、記録装置１の電源オン状態を示すＬＥＤと共通の構成であっても構わない。
【００７９】
また、上記実施形態では、受光部３３ａの取り付けられたセンサホルダ３４が回転移動する構成について説明したが、本発明はこれに限定されない。発光部あるいは受光部が、回転移動以外の移動によって変位しても構わない。発光部あるいは受光部は、開口部３２の形成された筐体３０の面に水平な方向に移動することによって変位してもよいし、開口部３２の形成された筐体３０の面に交差する方向への移動によって変位する構成であってもよい。カバー３１が開けられた際に、発光部あるいは受光部が、開口部３２から退避する方向へ移動すればよい。
【００８０】
（第４実施形態）
次に、本発明の第４実施形態について説明する。なお、上記第１実施形態ないし第３実施形態と同様に構成される部分については図中同一符号を付して説明を省略し、異なる部分についてのみ説明する。
【００８１】
上述の第１実施形態では、カバーに受光部３３ａが取り付けられ、カバー３１が開けられた際に、カバー３１が移動すると共に受光部３３ａが開口部３２から退避する方向に移動する構成が採用されている。また、第３実施形態では、カバー３１にカム部３１ａが取り付けられると共に受光部３３ａを有するセンサホルダ３４が回動可能に筐体３０に取り付けられている。カバー３１が閉じられている状態ではカム部３１ａによって押されることで受光部３３ａがインクタンク１０に対応する位置に配置され、カバーが開けられた際には、カム部３１ａが外れることで受光部３３ａが開口部３２から退避する方向に移動する。これに対し、第４実施形態では、インクタンク１０の照射部１３から発せられた光を受光部３３ａに導く導光体３６がカバー３１に取り付けられている。そして、カバー３１が開けられた際に、カバー３１の移動と共に導光体３６も開口部３２から退避する方向に移動する。
【００８２】
図１４は、第４実施形態の記録装置の要部の構成を示す平面図である。カバー３１には、導光体３６が取り付けられている。導光体３６は入射部３６ａ、反射面等を含む導光部３６ｂ、照射部３６ｃを有し、入射部３６ａから入射した光を導光部３６ｂを介して照射部３６ｃに導き照射部３６ｃから光を照射することが可能である。
【００８３】
筐体３０には、受光部３３ａを含むフォトセンサ基板ユニット３３が取り付けられて固定されている。
【００８４】
導光体３６は、カバー３１が閉じられている状態のときに、入射部３６ａの位置がインクタンク１０における照射部１３に対応する位置となるように配置される。また、導光体３６は、カバー３１が閉じられている状態のときに、導光体３６の照射部３６ｃの位置が、筐体３０に取り付けられた受光部３３ａに対応する位置となるように配置される。これにより、カバー３１が閉じた状態で、インクタンク１０の照射部１３から照射された光を受光部３３ａで受光することができる。本実施形態では、導光部３６ｂは、入射部３６ａが受光した光を導光し、照射部３６ｃから図１４に示されるＢ方向へ光を導光する光路３７が形成されている。このように、受光部３３ａを含む受光手段は、ＬＥＤ１１から発せられた光を内部に通す導光体３６と、導光体３６を通った光を受光して受光する受光部３３ａとを有している。受光部３３ａによって導光体３６からの光を受光することにより、インクタンク１０がキャリッジ２０に適切に搭載されているか否かについての情報を取得することが可能である。
【００８５】
インクタンク１０の照射部１３からの光が直接、受光部３３ａに受光される構成の場合には、インクタンク１０が所定の検出位置に位置しているかどうかの検出を行う際に誤検出が生じる可能性がある。照射部１３からの光が拡散することにより、インクタンク１０がそこに無いときにも有ると判断される可能性がある。従って、本実施形態のように、インクタンク１０の照射部１３から形成される光路１４と、導光体３６の照射部３６ｃから形成される光路３７とが同一直線上にない構成とすることで誤検出が生じることを抑えることができる。これにより、インクタンク１０が所定の検出位置に位置しているかどうかの検出において、検出精度を向上させることができる。
【００８６】
このように、本実施形態では、カバー３１が閉じられた状態のときに、受光部３３ａが導光体３６の照射部３６ｃからの光を受光可能なように、受光部３３ａが光路３７上に設けられている。そのため、第１実施形態と同様に、インクタンク１０からの光が導光部３６ｂに入射されるような所定の位置に到達したときのインクタンクの位置をインクタンク検出位置とし、インクタンクが所定のインクタンク検出位置にあるかどうかを検出することができる。
【００８７】
カバー３１が開けられると、カバー３１の移動と共に導光体３６も移動し導光体３６はインクタンク１０の照射部１３に対向した位置から退避する。このように、本実施形態では、カバー３１が開けられた状態のときに、導光体３６が、開口部３２から退避する方向に移動することが可能である。これにより、カバー３１が開けられた際の開口部３２の面積が広がり、ユーザによるインクタンク１０へのアクセスが容易となる。そのため、インクタンク１０の着脱動作を容易に行うことができる。
【００８８】
（第５実施形態）
次に、本発明の第５実施形態について説明する。なお、上記第１実施形態ないし第４実施形態と同様に構成される部分については図中同一符号を付して説明を省略し、異なる部分についてのみ説明する。
【００８９】
上述の第３実施形態では、受光部３３ａが筐体３０に回動可能に取り付けられ、第４実施形態では、カバー３１に取り付けられた導光体３６がインクタンク１０から発せられた光を受光部３３ａに導光する構成について説明した。第５実施形態では、導光体３８が筐体３０に回動可能に取り付けられている。カバー３１が閉じられた状態では、カバー３１に取り付けられたカム部３１ａによって導光体３８の一部が押され、導光体３８の入射部３８ａがインクタンク１０の照射部１３に対応する位置に配置される。また、導光体３８は付勢された状態で取り付けられており、カバー３１が開けられた状態では、導光体３８が回転移動し、カバー３１が閉じられた状態よりも開口部３２の面積が広がるように配置される。
【００９０】
図１５に第５実施形態におけるカバー３１が閉じられた状態における記録装置の要部についての斜視図を示し、図１６に記録装置のカバー３１の開けられた状態における記録装置の要部についての斜視図を示す。
【００９１】
本実施形態では、導光体３８が、筐体３０に、回転軸３５ｄを中心に回動可能に取り付けられている。導光体３８は、レバー部３５に固定されて取り付けられている。レバー部３５が回転移動することにより、導光体３８がレバー部３５と共に回転移動する。また、レバー部３５及び導光体３８は、カバー３１が開けられた状態のときに、図１６に示される状態となるように付勢された状態で筐体３０に取り付けられている。
【００９２】
カバー３１には、カム部３１ａが設けられる。カバー３１が閉じられると、カム部３１ａが導光体３８に当接する。これにより、導光体３８を回転移動させることが可能である。
【００９３】
導光体３８は、入射部３８ａ、反射面等を含む導光部３８ｂ、照射部３８ｃを有し、入射部３８ａから入射した光を導光部３６ｂを介して照射部３６ｃに導き照射部３６ｃから光を照射することが可能である。
【００９４】
筐体３０には、受光部３３ａを含むフォトセンサ基板ユニット３３が固定されている。
【００９５】
図１５に示されるように、カバー３１が閉じられた状態では、カム部３１ａが筐体３０に形成された切り欠き部３０ｂに入り込み、カバー３１に取り付けられたカム部３１ａが導光体３８と当接する。導光体３８は、カム部３１ａと当接し、カム部３１ａによって押されることにより、付勢されている状態で回転移動する。導光体３８が回転移動することによって、導光体３８の入射部３８ａがインクタンク１０による照射部１３に対向する位置に配置される。導光体３８の入射部３８ａがインクタンク１０の照射部１３に対応する位置に配置されるので、インクタンク１０の照射部１３から光が発せられた際に、光が導光体３８の入射部３８ａから入り込み、導光体３８の内部に取り込まれる。カバー３１が閉じた状態で入射部３８ａから導光体３８に入った光は、導光部３６ｂの内部を導光され、照射部３６ｃから受光部３３ａに向けて照射される。本実施形態では、照射部３８ｃから、図１５に示されるＣ方向へ光を導光する光路３９が形成されている。
【００９６】
このように記録装置が構成されることにより、カバー３１が閉じられているときに、受光部３３ａは、導光体３８の照射部３８ｃからの光を受光可能である。そのため、インクタンク１０が入射部３８ａに対向する位置に配置されたときに、インクタンク１０の照射部１３から発せられた光を受光部３３ａが検出することで、インクタンク１０が所定の検出位置にあることを検出することができる。
【００９７】
図１６に示されるように、カバー３１が開けられると、付勢された導光体３８を押さえるものがなくなるので、導光体３８を付勢する付勢部材（不図示）の力により、導光体３８が回転移動する。導光体３８が回転移動すると、入射部３８ａを含む導光体３８の一部が筐体３０における開口部３２から退避し、開口部３２の面積が広がる。これにより、ユーザによるインクタンク１０へのアクセスが容易となる。そのため、インクタンク１０の着脱動作を容易に行うことができる。また、記録装置の内部で記録媒体のジャムが生じた際に、記録媒体のジャム処理を容易に行うことができる。
【００９８】
なお、上記実施形態では、導光体が回転移動する構成について説明したが、本発明はこれに限定されない。導光体が、回転移動以外の移動によって変位しても構わない。導光体は、開口部３２の形成された筐体３０の面に水平な方向に移動することによって変位してもよいし、開口部３２の形成された筐体３０の面に交差する方向への移動によって変位する構成であってもよい。カバー３１が開けられた際に、導光体３６が、開口部３２から退避する方向へ移動すればよい。
【００９９】
（第６実施形態）
次に、本発明の第６実施形態について説明する。なお、上記第１実施形態ないし第５実施形態と同様に構成される部分については図中同一符号を付して説明を省略し、異なる部分についてのみ説明する。
【０１００】
上述の第１実施形態ないし第５実施形態では、光学式センサを用いて所定位置にインクタンクがあるか否かを検出する記録装置について説明した。これに対し、第６実施形態では、インクタンクが所定位置にあるか否かの検出を行うセンサとして磁気センサが用いられている。特に、第６実施形態では、インクタンク１０に磁石が設けられ、カバー３１あるいは筐体３０にホール素子等の磁気センサが設けられることによって、インクタンクが所定位置にあるか否かの検出が行われる。
【０１０１】
図１７は第６実施形態の記録装置の要部について示した平面図である。インクタンク１０には、複数の磁石（磁力発生手段）４１が設けられており、それぞれのインクタンク１０にそれぞれ対応した磁石４１が設けられている。磁石４１では、インクタンク１０Ｋ、１０ＰＫ、１０Ｃ、１０Ｍ、１０Ｙと、それぞれの色ごとに磁力の異なる磁石４１Ｋ、４１ＰＫ、４１Ｃ、４１Ｍ、４１Ｙが設けられている。
【０１０２】
カバー３１には、ホール素子（磁力検出部）４３ａを含む磁気センサ基板ユニット４３が設けられている。ホール素子４３ａは、カバー３１が閉じているときにインクタンク１０の磁石１２０と対向する位置に設けられている。磁気センサ基板ユニット４３は、不図示のケーブルを介して不図示の制御基板と接続されている。また、ホール素子４３ａでは、磁力に応じて電流が変化するため、電流を検出することにより、インクタンク１０の位置を検出することができる。このように、記録装置は、磁性体としての磁石４１と、磁力を検出するための磁力検出手段としてのホール素子４３ａを備える構成であってもよい。検出された磁力に基づいて、インクタンク１０がキャリッジ２０に搭載されているか否かについての情報が取得される構成であってもよい。
【０１０３】
磁気センサユニット４３はカバー３１に取り付けられているので、カバー３１が開けられると、カバー３１の移動と共に、磁気センサユニット４３も移動する。このとき、磁気センサ基板ユニット４３は、インクタンク１０の磁石４１の対向部から退避し、開口部３２から退避する方向に移動する。
【０１０４】
カバー３１が開けられると、磁気センサユニット４３が、開口部３２から退避する方向に移動するので、カバー３１が開けられた際に、開口部３２の面積が広がる。これにより、ユーザによるインクタンク１０へのアクセスが容易となる。そのため、インクタンク１０の着脱動作を容易に行うことができる。また、記録装置の内部で記録媒体のジャムが生じた際に、記録媒体のジャム処理を容易に行うことができる。
【０１０５】
なお、本実施形態では、磁気センサユニット４３がカバー３１に取り付けられて記録装置が構成されているが、本発明は上記実施形態に限定されない。第３実施形態における受光部３３ａと同様に、磁気センサユニット４３のホール素子４３ａが付勢された状態で取り付けられ、カバー３１が閉じられた状態のときに、カム部によって磁気を検出可能な位置に配置される構成であってもよい。その場合、カバー３１が開けられると、カム部もカバーの移動と共に移動し、付勢力によってホール素子４３ａが開口部３２から退避する方向に移動する構成であってもよい。
【０１０６】
また、磁石と磁気センサユニットとの間の位置関係が逆であってもよい。インクタンク１０のそれぞれに磁気センサユニットが取り付けられ、カバー３１あるいは筐体３０側に磁石が取り付けられる構成であってもよい。また、上記実施形態では、磁気的なセンサが配置され、磁気を検出することによってインクタンク１０が所定位置に配置されているか否かの検出が行われているが、本発明はこれに限定されない。
【０１０７】
さらに、電磁波や電波を検出することによって、インクタンク１０が所定位置にあるか否かの検出が行われてもよい。その場合には、磁石４１を非接触式ＩＣタグとし、磁気センサ基板ユニット４３をリーダユニットとして記録装置が構成されてもよい。このように、記録装置は、電波あるいは電磁波を発する発生手段と、発生手段によって発せられた電波あるいは電磁波を受け取る受取手段とを備える構成であってもよい。記録装置は、受け取り手段によって受け取った電波あるいは電磁波に基づいて、インクタンク１０がキャリッジ２０に適切に搭載されているか否かについての情報を取得する構成であってもよい。
【符号の説明】
【０１０８】
１０  インクタンク
１１  ＬＥＤ
３０  筐体
３１  カバー
３２  開口部
３３ａ  受光部
２０  キャリッジ
２００  記録ヘッド
【図７】
2015157460.tif 000003
【図８】
2015157460.tif 000004
【図９】
2015157460.tif 000005
【図１】
2015157460.tif 000006
【図２】
2015157460.tif 000007
【図３】
2015157460.tif 000008
【図４】
2015157460.tif 000009
【図５】
2015157460.tif 000010
【図６】
2015157460.tif 000011
【図１０】
2015157460.tif 000012
【図１１】
2015157460.tif 000013
【図１２】
2015157460.tif 000014
【図１３】
2015157460.tif 000015
【図１４】
2015157460.tif 000016
【図１５】
2015157460.tif 000017
【図１６】
2015157460.tif 000018
【図１７】
2015157460.tif 000019